(57)【要約】【課題】ユーザの削除の入力によって削除することができないデータが記録されている使用領域を録画可能な未使用領域として確保する。【解決手段】ハードディスク装置１全体の動作を制御する制御部２と、番組を録画するハードディスクドライブ１０とを備える。また、使用領域Ｂのうち録画されている番組のタイトル名を読み取ることができる領域（第１領域）Ｘと、使用領域Ｂのうち録画されている番組のタイトル名を読み取ることができない領域Ｗ、および未使用領域Ｃとからなる領域（第２領域）Ｙとを検出してパーティションで分割した後、第２領域Ｙをフォーマットする録画／読取部３を備える。【選択図】  図２
2007006350.tif 000002
【特許請求の範囲】
【請求項１】
番組を受信する受信手段と、
前記受信手段が受信している番組をハードディスクに録画する録画手段と、を備えたハードディスク記録装置において、
前記ハードディスクにおける番組が録画されている第１領域とその他の第２領域とを検出してパーティションで分割する領域分割手段と、
前記第１領域に録画されている番組の削除の入力を受け付ける削除入力受付手段と、
前記ハードディスクにおける番組を録画可能な未使用領域の容量を検知する空き容量検知手段と、
前記記録手段に録画させる番組の指定の入力を受け付ける録画予約受付手段と、
前記録画予約手段によって録画させる番組の指定の入力が受け付けられた番組の録画に必要な前記ハードディスクの容量を算出する録画容量算出手段と、
前記空き容量検知手段によって検知された前記未使用領域の容量と、前記録画容量算出手段によって算出された前記ハードディスクの容量とを比較し、前記録画予約手段によって録画させる番組の指定の入力が受け付けられた番組の録画が可能か否かを判定する予約録画可否判定手段と、
前記削除入力受付手段が前記第１領域に録画されている番組の削除の入力を受け付けた際、前記予約録画可否判定手段によって録画が不可であると判定された際、および前記空き容量検知手段によって検知された前記未使用領域の容量が所定量未満となった際に、前記領域分割手段による分割後の前記第２領域をフォーマットするフォーマット手段と、を備えたことを特徴とするハードディスク記録装置。
【請求項２】
番組を受信する受信手段と、
前記受信手段が受信している番組をハードディスクに録画する録画手段と、を備えたハードディスク記録装置において、
前記ハードディスクにおける番組が録画されている第１領域とその他の第２領域とを検出してパーティションで分割する領域分割手段と、
所定のタイミングで、前記領域分割手段による分割後の前記第２領域をフォーマットするフォーマット手段と、を備えたことを特徴とするハードディスク記録装置。
【請求項３】
前記第１領域に録画されている番組の削除の入力を受け付ける削除入力受付手段を備え、
前記所定のタイミングは、前記削除入力受付手段が前記第１領域に録画されている番組の削除の入力を受け付けた際であることを特徴とする請求項２に記載のハードディスク記録装置。
【請求項４】
前記ハードディスクにおける番組を録画可能な未使用領域の容量を検知する空き容量検知手段と、
前記記録手段に録画させる番組の指定の入力を受け付ける録画予約受付手段と、
前記録画予約手段によって録画させる番組の指定の入力が受け付けられた番組の録画に必要な前記ハードディスクの容量を算出する録画容量算出手段と、
前記空き容量検知手段によって検知された前記未使用領域の容量と、前記録画容量算出手段によって算出された前記ハードディスクの容量とを比較し、前記録画予約手段によって録画させる番組の指定の入力が受け付けられた番組の録画が可能か否かを判定する予約録画可否判定手段と、を備え、
前記所定のタイミングは、前記予約録画可否判定手段によって録画が不可であると判定された際であることを特徴とする請求項２、または３の何れかに記載のハードディスク記録装置。
【請求項５】
前記所定のタイミングは、前記空き容量検知手段によって検知された前記未使用領域の容量が所定量未満となった際であることを特徴とする請求項４に記載のハードディスク記録装置。
【発明の詳細な説明】
【技術分野】
【０００１】
この発明は、番組をハードディスクに録画し、また録画した番組を再生するハードディスク記録装置に関する。
【背景技術】
【０００２】
ハードディスク記録装置は、ハードディスクにおける既に番組が録画されている上書き禁止の使用領域以外の録画可能な未使用領域に、新たな番組を録画していく。新たな番組が録画された未使用領域は、上書き禁止の使用領域となる。したがって、未使用領域がなくなると新たな番組の録画を行うことができないので、ユーザは、ハードディスク記録装置に備えられるキー等を操作して削除すべき番組の入力を行うことで、ハードディスクに録画されている番組を削除させて録画可能時間（未使用領域）を確保していた。番組の削除の入力が受け付けられると、削除すべき番組の記録されていた使用領域は、録画可能な未使用領域となる。
【０００３】
また、近年のハードディスク記録装置には、ハードディスクに録画されている番組において、消去候補となる番組の指定の入力を受け付け、録画可能時間が不足している場合に指定された消去候補となる番組の中から選択された番組のみをハードディスクから消去する構成のものがある（例えば、特許文献１参照。）。また、指定された消去候補となる番組は、再生不可能状態となるが指定の解除が可能であり、指定が解除されると再び再生可能状態に戻る。
【０００４】
このように、電子機器等に備えられたハードディスクの容量は限られているので、ハードディスクの容量を有効に活用すべく、オーディオ用と地図用とにパーティションで分割されたハードディスクを備えたナビゲーション装置においては、データの削除および配列の整理を行って確保した未使用領域をフォーマットして、オーディオ用と地図用とのハードディスクの領域の比率を変更することで、必要に応じて一方の領域を拡張する構成を備えたものがある（例えば、特許文献２参照。）。
【特許文献１】特開２００４−３５５７０５号公報
【特許文献２】特開２００４−２７２５３２号公報
【発明の開示】
【発明が解決しようとする課題】
【０００５】
しかしながら、ハードディスク記録装置に備えられたハードディスクには、本体装置には使用領域として認識されているが、何らかの原因により録画された番組のデータが完全に削除されず、また再生（データの読み込み）もできない状態となる不具合領域が発生する場合があった。そのため、この不具合領域について番組のタイトル名等も表示できないので、ユーザが削除のための選択を入力を行うことができなかった。
【０００６】
この不具合領域が増加していくと、録画に用いることができるハードディスクの実際の容量が、本来録画に使用できるハードディスクの容量に比べて減少してしまう。そのため、ユーザは未使用領域を確保するために録画した番組の削除を頻繁に行わなければならなかった。なお、不具合領域を含めたハードディスク全体のフォーマットを行うことで、不具合領域も再び使用することができるようになるが、ハードディスクに録画されている全ての番組も消去されてしまうため有効ではない。
【０００７】
この発明の目的は、ユーザの削除の入力によって削除することができないデータが記録されている使用領域を録画可能な未使用領域として確保することができるハードディスク記録装置を提供することにある。
【課題を解決するための手段】
【０００８】
この発明は、上記課題を解決するために以下の構成を備えている。
【０００９】
（１）番組を受信する受信手段と、
前記受信手段が受信している番組をハードディスクに録画する録画手段と、を備えたハードディスク記録装置において、
前記ハードディスクにおける番組が録画されている第１領域とその他の第２領域とを検出してパーティションで分割する領域分割手段と、
前記第１領域に録画されている番組の削除の入力を受け付ける削除入力受付手段と、
前記ハードディスクにおける番組を録画可能な未使用領域の容量を検知する空き容量検知手段と、
前記記録手段に録画させる番組の指定の入力を受け付ける録画予約受付手段と、
前記録画予約手段によって録画させる番組の指定の入力が受け付けられた番組の録画に必要な前記ハードディスクの容量を算出する録画容量算出手段と、
前記空き容量検知手段によって検知された前記未使用領域の容量と、前記録画容量算出手段によって算出された前記ハードディスクの容量とを比較し、前記録画予約手段によって録画させる番組の指定の入力が受け付けられた番組の録画が可能か否かを判定する予約録画可否判定手段と、
前記削除入力受付手段が前記第１領域に録画されている番組の削除の入力を受け付けた際、前記予約録画可否判定手段によって録画が不可であると判定された際、および前記空き容量検知手段によって検知された前記未使用領域の容量が所定量未満となった際に、前記領域分割手段による分割後の前記第２領域をフォーマットするフォーマット手段と、を備えたことを特徴とする。
【００１０】
この構成においては、ハードディスクにおける番組が録画されている第１領域と、不具合等によりユーザの削除の入力によって削除できないデータが存在する使用領域を含めた第２領域とがパーティションで分割される。その後、この第２領域のみがフォーマットされる。これにより、ハードディスク全体をフォーマットすることなく、ユーザの削除の入力によって削除できない使用領域を未使用領域にすることができ、有効に使用できるハードディスクの容量を確保することができる。
【００１１】
また、第１領域に録画されている番組の削除の入力を受け付けた際、記録手段に録画させる番組の指定の入力を受け付けた番組の録画ができないと判定された際、および録画可能な未使用領域が所定量未満となった際に、第２領域のフォーマットが行われる。これにより、適切なタイミングで第２領域をフォーマットできる。
【００１２】
（２）番組を受信する受信手段と、
前記受信手段が受信している番組をハードディスクに録画する録画手段と、を備えたハードディスク記録装置において、
前記ハードディスクにおける番組が録画されている第１領域とその他の第２領域とを検出してパーティションで分割する領域分割手段と、
所定のタイミングで、前記領域分割手段による分割後の前記第２領域をフォーマットするフォーマット手段と、を備えたことを特徴とする。
【００１３】
この構成においては、ハードディスクにおける番組が録画されている第１領域と、不具合等によりユーザの削除の入力によって削除できないデータが存在する使用領域を含めた第２領域とがパーティションで分割される。その後、この第２領域のみがフォーマットされる。これにより、ハードディスク全体をフォーマットすることなく、ユーザの削除の入力によって削除できない使用領域を未使用領域にすることができ、有効に使用できるハードディスクの容量を確保することができる。
【００１４】
（３）前記第１領域に録画されている番組の削除の入力を受け付ける削除入力受付手段を備え、
前記所定のタイミングは、前記削除入力受付手段が前記第１領域に録画されている番組の削除の入力を受け付けた際であることを特徴とする。
【００１５】
この構成においては、第１領域に録画されている番組の削除の入力を受け付けた際に第２領域がフォーマットされる。ユーザがハードディスクに録画されている番組の削除の入力を行うのは、番組を録画すべくハードディスクの未使用領域を確保したいとする意図であるので、録画されている番組の削除を行い、さらに第２領域のフォーマットを行うことで、録画されいている番組の削除のみに比べてより多くの未使用領域を確保できるので、ユーザにとって有益である。
【００１６】
また、入力を受け付けた録画されいている番組の削除に失敗し、削除に失敗した番組が録画されていた領域がユーザの削除の入力によって削除できない使用領域となってしまった場合においても、第２領域のフォーマットを行うので、確実に未使用領域を確保することができる。
【００１７】
（４）前記ハードディスクにおける番組を録画可能な未使用領域の容量を検知する空き容量検知手段と、
前記記録手段に録画させる番組の指定の入力を受け付ける録画予約受付手段と、
前記録画予約手段によって録画させる番組の指定の入力が受け付けられた番組の録画に必要な前記ハードディスクの容量を算出する録画容量算出手段と、
前記空き容量検知手段によって検知された前記未使用領域の容量と、前記録画容量算出手段によって算出された前記ハードディスクの容量とを比較し、前記録画予約手段によって録画させる番組の指定の入力が受け付けられた番組の録画が可能か否かを判定する予約録画可否判定手段と、を備え、
前記所定のタイミングは、前記予約録画可否判定手段によって録画が不可であると判定された際であることを特徴とする。
【００１８】
この構成においては、記録手段に録画させる番組の指定の入力を受け付けた番組の録画ができないと判定された際、つまり、ハードディスクにおける録画可能な未使用領域の容量が、記録手段に録画させる番組の指定の入力が受け付けられた番組の録画に必要なハードディスクの容量に対して不足する際に、第２領域がフォーマットされる。
【００１９】
これにより、録画するためのハードディスクの容量を確保することができる。
【００２０】
（５）前記所定のタイミングは、前記空き容量検知手段によって検知された前記未使用領域の容量が所定量未満となった際であることを特徴とする。
【００２１】
この構成においては、録画可能な未使用領域が所定量未満となった際にも第２領域がフォーマットされる。番組の録画は、番組の放送時間上３０分や１時間単位であるので、未使用領域が例えば２０分であるような場合は、ユーザが未使用領域を確保すべくハードディスクに録画されている番組の削除の入力を行おうとするので、予め所定量未満になった際に第２領域をフォーマットして未使用領域を確保することができるので、ユーザが番組の削除の入力を行う頻度を減少させることができる。
【発明の効果】
【００２２】
この発明によれば、ハードディスク全体をフォーマットすることなく、ユーザによる削除の入力により削除できなかった使用領域を未使用領域にすることができ、有効に使用できるハードディスクの容量を確保することができる。
【発明を実施するための最良の形態】
【００２３】
以下、この発明の実施形態であるハードディスク記録装置について説明する。
【００２４】
図１は、この発明の実施形態に係るハードディスク記録装置の構成を示すブロック図である。ハードディスク記録装置１は、本体の動作を制御する制御部２と、番組のデータが記録（録画）されているハードディスク（以下、ＨＤＤと言う。）１０と、ＨＤＤ１０に対する番組のデータの録画、およびＨＤＤ１０に録画されている番組のデータの読み取りを行う録画／読取部３と、テレビアンテナ等の外部機器からＨＤＤ１０に記録する番組のデータの入力を受け付ける入力部４と、入力部４に入力された番組のデータをエンコードするエンコーダ５と、録画／読取部３がＨＤＤ１０から読み取った番組のデータをデコードするデコーダ６と、デコーダ６でデコードされた番組のデータを再生すべくテレビ等の外部機器に出力する出力部７と、を備えている。
【００２５】
入力部４には、ＨＤＤ１０に記録する番組のデータだけでなく、データの録画開始、読取開始、一時停止等、本体の制御部２に対する制御信号も入力される。エンコーダ５は、入力部４が受け付けたデータをＭＰＥＧ２等の所定の形式に圧縮する。デコーダ６は、録画／読取部３がＨＤＤ１０から読み取った番組のデータを伸長し、出力部７はデコーダ６が伸長した番組のデータをテレビ等に送る。なお、録画／読取部３は本発明の録画手段に相当し、入力部４は本発明の受信手段に相当する。
【００２６】
図２は、ＨＤＤ１０における記録領域の構成を示す説明図である。ＨＤＤ１０の記録領域は、図２（Ａ）に示すように録画された番組毎の録画開始位置のアドレス情報等を記録するヘッダ部Ａ、番組が録画されていて上書き禁止となっている使用領域Ｂ、および録画可能な未使用領域Ｃ等から構成されている。
【００２７】
ＨＤＤ１０に録画されている番組のデータには、番組のタイトル名が所定の位置に記録され、またデータの終了位置を特定する終了位置情報がデータの最後に記録されている。
【００２８】
番組のタイトル名は、録画されている番組を再生する際にテレビ等に表示させて再生すべき番組をユーザに選択させる際等に用いる。
【００２９】
また、ハードディスク記録装置１は、キー等の操作部８を備えている。操作部８は、ユーザから番組の録画や再生等の要求の入力を受け付ける。また、操作部８は、録画されている番組の削除の入力を受け付ける。操作部８は、本発明の削除入力受付手段に相当する。
【００３０】
図３は、ＨＤＤ１０に録画されている番組の削除を行う際の手順を示す流れ図である。
【００３１】
操作部８によってＨＤＤ１０に録画されている番組の削除の入力が受け付けられた際、制御部２は、ＨＤＤ１０に録画されている全ての番組のタイトル名の情報を録画／読取部３に要求する（Ｓ１）。次に、タイトル名を受信したか否かを判断し（Ｓ２）、受信するまで待機する。この時、録画／読取部３は、ＨＤＤ１０のヘッダ部Ａに記録されている各番組の録画開始位置のアドレス情報を参照して録画されている全ての番組のタイトル名を読み取って制御部２に送信する。
【００３２】
制御部２は、Ｓ２においてタイトル名の情報を受信したと判断した場合は、受信した番組のタイトル名をテレビに表示する（Ｓ３）。次に、操作部８によって削除すべき番組のタイトル名の選択の入力が受け付けられたか否かを判断し（Ｓ４）、選択の入力が受け付けられるまで待機する。この時、ユーザによって操作部８を操作してテレビ等に表示された番組のタイトル名の中から削除すべき番組のタイトル名の選択の入力が行われる。
【００３３】
その後、Ｓ４において、削除すべき番組のタイトル名の選択の入力が受け付けられたと判断した際は、削除すべき番組のタイトル名とともに番組の削除の要求を録画／読取部３に送信する（Ｓ５）。また、Ｓ５において、録画／読取部３に後述する第２領域のフォーマットの要求およびその後の未使用領域の容量の検知要求も合わせて行う。次に、未使用領域の容量の検知結果を受信したか否かを判断し（Ｓ６）、受信するまで待機する。
【００３４】
この時、録画／読取部３は、受信したタイトル名に合致する番組を削除する。これにより、削除された番組が録画されていた領域が未使用領域となり、録画可能となる。
【００３５】
次に、録画／読取部３は、第２領域のフォーマットを行う。まず、ＨＤＤ１０における番組が録画されている第１領域とその他の第２領域とを検出してパーティションで分割する。具体的には、図２（Ａ）に示すようにＨＤＤ１０のヘッダ部Ａに記録されている録画されている番組の録画開始位置のアドレス情報を参照して、使用領域Ｂのうち録画されている番組のタイトル名を読み取ることができる領域（第１領域）Ｘと、使用領域Ｂのうち録画されている番組のタイトル名を読み取ることができない領域Ｗ、および未使用領域Ｃとからなる領域（第２領域）Ｙとに公知の技術を用いてパーティションで分割する。
【００３６】
なお、第２領域Ｙに含まれる使用領域Ｂのうち録画されている番組のタイトル名を読み取ることができない領域Ｗは、データを読み取ることができないので、ユーザの削除の入力により削除を行うことができないデータを記録している。
【００３７】
次に、録画／読取部３は、第２領域Ｙのみについてフォーマットを行う。これにより、図２（Ｂ）に示すように第２領域Ｙの全てが未使用領域Ｃとなる。その後、録画／読取部３は、ＨＤＤ１０のヘッダ部Ａに記録されている録画された番組毎の録画開始位置のアドレス情報を参照して使用領域Ｂの容量を検知し、制御部２に送信する。なお、録画／読取部３は、本発明の領域分割手段、フォーマット手段、および空き容量検知手段にも相当する。
【００３８】
制御部２は、Ｓ６において未使用領域Ｃの容量を受信したと判断した場合は、この容量から録画可能時間を算出し（Ｓ７）、テレビに表示して（Ｓ８）処理を終了する。制御部２は、本発明の録画容量算出手段に相当する。
【００３９】
上述のように、パーティションで分割された第２領域のみをフォーマットすることによって、ＨＤＤ１０全体をフォーマットすることなく、ユーザの削除の入力によって削除できない使用領域Ｂ（Ｗ）を未使用領域Ｃにすることができ、有効に使用できるＨＤＤ１０の容量を確保することができる。
【００４０】
また、録画されている番組の削除を行い、さらに第２領域Ｙのフォーマットを行うことで、録画されいている番組の削除のみに比べてより多くの未使用領域を確保できるので、ユーザにとって有益である。さらに、入力を受け付けた録画されいている番組の削除に失敗し、削除に失敗した番組が録画されていた領域がユーザの削除の入力によって削除できない使用領域Ｂ（Ｗ）となってしまった場合においても、第２領域Ｙのフォーマットを行うので、確実に未使用領域Ｃを確保することができる。
【００４１】
本実施形態におけるハードディスク装置１は、録画予約機能を有している。録画予約機能は、操作部８を介して指定の入力がされた番組をユーザによる録画開始の要求の入力を受けずに録画する機能である。操作部８は、本発明の録画予約受付手段にも相当する。
【００４２】
図４は、録画予約の要求を受け付けた際の処理を示す流れ図である。操作部８によって録画予約の要求の入力を受け付けると、制御部２は、テレビに録画予約の入力画面を表示する（Ｓ１１）。ユーザは、テレビの表示にしたがって操作部８を介して番組の指定の入力を行う。番組の指定は、録画時刻や番組の放送されるチャンネル又は番組コード等が用られる。
【００４３】
その後、制御部２は、操作部８が番組の指定の入力が完了したか否かを判断し（Ｓ１２）、受け付けるまで待機する。Ｓ１２において、番組の指定の入力が完了したと判断した場合は、録画すべき番組に必要なＨＤＤ１０の容量を算出し（Ｓ１３）、録画／読取部３に未使用領域Ｃの容量の検知要求を行う（Ｓ１４）。次に、未使用領域Ｃの容量の検知結果を受信したか否かを判断し（Ｓ１５）、受信するまで待機する。
【００４４】
Ｓ１５において、未使用領域Ｃの容量の検知結果を受信したと判断した場合は、算出した録画すべき番組に必要なＨＤＤ１０の容量と、受信した未使用領域Ｃの容量とを比較し（Ｓ１６）、録画すべき番組を録画可能か否かを判断する（Ｓ１７）。つまり、Ｓ１６における比較結果から、未使用領域Ｃの容量のみで録画すべき番組を録画可能か否かを判断する。制御部２は、本発明の録画可否判定手段にも相当する。
【００４５】
Ｓ１７において、録画すべき番組を録画可能であると判断した場合は、録画予約が完了したとして処理を終了する。一方、Ｓ１７において、録画すべき番組を録画可能でないと判断した場合は、第２領域Ｙのフォーマットの要求およびその後の未使用領域Ｃの容量の検知要求を行う（Ｓ１８）。次に、未使用領域Ｃの容量の検知結果を受信したか否かを判断し（Ｓ１９）、受信するまで待機する。
【００４６】
この時、録画／読取部３は、上述と同様に第１領域Ｘおよび第２領域Ｙにパーティションで分割し、第２領域Ｙのみについてフォーマットを行う。その後、録画／読取部３は、未使用領域Ｃの容量を検知し、制御部２に送信する。
【００４７】
Ｓ１９において、制御部２は、未使用領域の容量の検知結果を受信したと判断した場合は、Ｓ１６、１７の処理と同様に、算出した録画すべき番組に必要なＨＤＤ１０の容量と、受信した未使用領域Ｃの容量とを比較し（Ｓ２０）、録画すべき番組を録画可能か否かを判断する（Ｓ２１）。Ｓ２１において、録画すべき番組を録画可能であると判断した場合は、録画予約が完了したとして処理を終了する。一方、Ｓ２１において、録画すべき番組を録画可能でないと判断した場合は、番組を録画可能な未使用領域がない旨の表示およびＨＤＤ１０に録画されている番組の削除を行うかの録画予約を中止するか入力を促す旨の表示を行う（Ｓ２２）。
【００４８】
次に、操作部８によってユーザからの入力を受け付けたか否かの判断を行い（Ｓ２３）、受け付けられるまで待機する。Ｓ２３において、ユーザからの入力を受け付けたと判断した場合は、受け付けた入力が録画予約の中止か否かを判断し（Ｓ２４）、録画予約の中止の入力を受け付けたと判断した場合は、処理を終了（中止）する、
一方、Ｓ２４において、番組の削除を行う入力を受け付けたと判断した場合は、ＨＤＤ１０に録画されている番組の削除を行うべく、上述のＳ１〜Ｓ８と同様の削除処理を開始する（Ｓ２５）。
【００４９】
その後、削除処理が終了したか否かを判断し（Ｓ２６）、削除処理が終了するまで待機する。Ｓ２６において、削除処理が終了したと判断した場合はＳ２０の処理に戻る。
【００５０】
これにより、録画予約した番組を録画するためのハードディスクの容量を確保することができる。
【００５１】
なお、本実施形態では、録画されている番組の削除の入力が受け付けられた際、および録画予約が行われた際にＨＤＤ１０における第２領域Ｙのフォーマットを行っているが、特にこれに限定されるものではない。
【００５２】
例えば、ＨＤＤ１０の未使用領域Ｃが所定量未満になった際に行ってもよい。図５に示すように、制御部２は、録画／読取部３から未使用領域Ｃの容量の検知要求を行う（Ｓ３１）。次に、未使用領域Ｃの容量の検知結果を受信したか否か判断し（Ｓ３２）、受信するまで待機する。Ｓ３２において、未使用領域Ｃの容量の検知結果を受信したと判断した場合は、未使用領域Ｃの容量と所定量とを比較する（Ｓ３３）。Ｓ３３において、比較結果から未使用領域Ｃの容量が所定量未満か否かを判断し（Ｓ３４）、未使用領域Ｃの容量が所定量未満でなければ処理を終了する。Ｓ３４において、未使用領域Ｃの容量が所定量未満であると判断した場合、録画／読取部３に第２領域Ｙのフォーマットの要求を行って（Ｓ３５）処理を終了する。この時、録画／読取部３は、上述と同様に第１領域Ｘおよび第２領域Ｙにパーティションで分割した後、第２領域Ｙのみについてフォーマットを行う。
【００５３】
これによって、予め所定量未満になった際に第２領域をフォーマットして未使用領域Ｃを確保することができるので、ユーザが番組の削除の入力を行う頻度を減少させることができる。
【００５４】
なお、通常、番組の録画は、番組の放送時間上３０分や１時間単位であるので、所定量についても番組の録画の時間単位に合わせたＨＤＤ１０の容量とするのがよい。
【００５５】
また、上述のＳ３１〜Ｓ３５における処理は、常に行う必要はなく、例えば番組の録画や削除が行われた後等におけるＨＤＤ１０に関する処理が行われた後に実行すればよい。
【００５６】
本実施形態では、パーティションで分割した後に第２領域Ｙをフォーマットを行うだけであったが、その後に使用領域Ｂの配列の整理（最適化）を行ってもよい。
【図面の簡単な説明】
【００５７】
【図１】この発明の実施形態に係るハードディスク記録装置の構成を示すブロック図である。
【図２】ＨＤＤにおける記録領域の構成を示す説明図である。
【図３】ＨＤＤに録画されている番組の削除を行う際の手順を示す流れ図である。
【図４】録画予約の要求を受け付けた際の処理を示す流れ図である。
【図５】未使用領域が所定量未満の際の処理を示す流れ図である。
【符号の説明】
【００５８】
１−ハードディスク記録装置
２−制御部
３−録画／読取部
４−入力部
５−エンコーダ
８−操作部
１０−ＨＤＤ
Ｂ−使用領域
Ｃ−未使用領域
Ｘ−第１領域
Ｙ−第２領域
【図１】
2007006350.tif 000003
【図２】
2007006350.tif 000004
【図３】
2007006350.tif 000005
【図４】
2007006350.tif 000006
【図５】
2007006350.tif 000007